(57)【特許請求の範囲】
【請求項１】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記所定の画面における合焦させるべき位置に対応する被写体までの第１の距離と、前記ぼかし位置に対応する被写体までの第２の距離とを求める手段と、
前記第１の距離と、前記第２の距離とに基づいて、前記合焦させるべき位置に対応する被写体を被写界深度の範囲内とする一方、前記ぼかし位置に対応する被写体を被写界深度の範囲外とすることにより、前記ぼかし位置に関して撮影画像上でぼけ効果が得られるよう制御する制御手段と、
を備えることを特徴とするデジタルカメラ。
【請求項２】
請求項１に記載のデジタルカメラであって、
前記所定の画面に表示された前記被写体の特定位置に関して合焦を行う合焦手段を備えることを特徴とするデジタルカメラ。
【請求項３】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
操作入力に基づき、前記ぼかし位置におけるぼけ効果の程度を設定する設定手段と、
を備えることを特徴とするデジタルカメラ。
【請求項４】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
を備え、
操作入力に基づき、前記ぼかし位置を、前記所定の画面としての液晶表示画面上に表示させたプレビュー画像において指定可能であることを特徴とするデジタルカメラ。
【請求項５】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
予め設定された撮影条件において、前記ぼかし位置に関して前記ぼけ効果を付加することができない場合に警告する警告手段と、
を備えることを特徴とするデジタルカメラ。
【請求項６】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
前記所定の画面において、前記ぼかし位置を拡大表示する拡大表示手段と、
を備えることを特徴とするデジタルカメラ。
【請求項７】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
を備え、
予め設定されたシャッタースピードで撮影するためのシャッター優先モードを有するとともに、
前記ぼかし位置の指定に応答して、前記シャッター優先モードを解除する手段、
をさらに備えることを特徴とするデジタルカメラ。
【請求項８】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
を備え、
予め設定された絞り値で撮影するための絞り優先モードを有するとともに、
前記ぼかし位置の指定に応答して、前記絞り優先モードを解除する手段、
をさらに備えることを特徴とするデジタルカメラ。
【請求項９】
デジタルカメラであって、
撮影前の被写体の画像を所定の画面に表示可能な表示手段と、
操作入力に基づき、前記所定の画面において、撮影画像に対してぼけ効果を付加したいぼかし位置を指定するぼかし位置指定手段と、
前記ぼかし位置に関して、撮影画像上でぼけ効果が得られるように撮影光学系を制御する制御手段と、
を備え、
予め設定されたシャッタースピードで撮影するシャッター優先モードを有するとともに、
前記ぼかし位置の指定に応答して、前記シャッター優先モードにおいて、前記撮影画像の明るさを調節するためのゲインの設定を下げることによって、前記ぼけ効果を得る手段、
をさらに備えることを特徴とするデジタルカメラ。
【請求項１０】
請求項１に記載のデジタルカメラであって、
前記被写体の輝度に基づいて、シャッタースピードと絞り値との所定の組合せを設定するプログラムＡＥモードを有するとともに、
前記ぼかし位置の指定に応答して、前記所定の組合せを変更する手段を備えることを特徴とするデジタルカメラ。
【発明の詳細な説明】
【０００１】
【発明の属する技術分野】
デジタルカメラにおいて撮影される撮影画像に関して、所望の位置でぼけ効果を付加する技術に関する。
【０００２】
【従来の技術】
従来、デジタルカメラによって撮影された撮影画像に関して、焦点の合っている合焦領域と、焦点の合っていない領域との遠近感を出すために、例えば、特開平６−３６０２５号公報、特開平１１−１４４０２６号公報、特開２０００−２０７５４９号公報において、取得された撮影画像に対して、合焦領域と焦点の合っていない領域とを指定し、焦点の合っていない領域において、ぼけ効果を付加する画像処理を実施することによって、撮影画像に関して遠近感を出す画像処理方法が提案されている。
【０００３】
【発明が解決しようとする課題】
しかしながら、上記の画像処理方法においては、取得された撮影画像上で、合焦領域と焦点の合っていない領域とを切り分けた後に画像処理によってぼけ効果を付加しているために、生成画像には不可避的に不自然さが残ってしまう。また、上述した画像処理によって生成画像に生じる不自然さを出来るだけ回避するための画像処理の操作は煩雑であり、相当な熟練を要し、かつそのような画像処理に対しては、長時間を要するといった問題があった。
【０００４】
そこで、本発明は、上記課題に鑑みてなされたものであり、デジタルカメラにおいて、任意の位置でぼけ効果を付加し、かつ自然な撮影画像とすることが容易に可能な技術を提供することを目的とする。
【０００５】
【課題を解決するための手段】
上記の課題を解決するために、請求項１の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記所定の画面における合焦させるべき位置に対応する被写体までの第１の距離と、前記ぼかし位置に対応する被写体までの第２の距離とを求める手段と、前記第１の距離と、前記第２の距離とに基づいて、前記合焦させるべき位置に対応する被写体を被写界深度の範囲内とする一方、前記ぼかし位置に対応する被写体を被写界深度の範囲外とすることにより、前記ぼかし位置に関して撮影画像上でぼけ効果が得られるよう制御する制御手段とを備える。
【０００６】
また、請求項２の発明は、請求項１に記載のデジタルカメラであって、前記所定の画面に表示された前記被写体の特定位置に関して合焦を行う合焦手段を備える。
【０００７】
また、請求項３の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段と、操作入力に基づき、前記ぼかし位置におけるぼけ効果の程度を設定する設定手段とを備える。
【０００８】
また、請求項４の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段とを備え、操作入力に基づき、前記ぼかし位置を、前記所定の画面としての液晶表示画面上に表示させたプレビュー画像において指定可能である。
【０００９】
また、請求項５の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段と、予め設定された撮影条件において、前記ぼかし位置に関して前記ぼけ効果を付加することができない場合に警告する警告手段とを備える。
【００１０】
また、請求項６の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段と、前記所定の画面において、前記ぼかし位置を拡大表示する拡大表示手段とを備える。
【００１１】
また、請求項７の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段とを備え、予め設定されたシャッタースピードで撮影するためのシャッター優先モードを有するとともに、前記ぼかし位置の指定に応答して、前記シャッター優先モードを解除する手段をさらに備える。
【００１２】
また、請求項８の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段とを備え、予め設定された絞り値で撮影するための絞り優先モードを有するとともに、前記ぼかし位置の指定に応答して、前記絞り優先モードを解除する手段をさらに備える。
【００１３】
また、請求項９の発明は、デジタルカメラであって、撮影前の被写体の画像を所定の画面に表示可能な表示手段と、操作入力に基づき、前記所定の画面において、撮影画像に対してぼけ効果を付加したいぼかし位置を指定するぼかし位置指定手段と、前記ぼかし位置に関して、撮影画像上でぼけ効果が得られるように撮影光学系を制御する制御手段とを備え、予め設定されたシャッタースピードで撮影するシャッター優先モードを有するとともに、前記ぼかし位置の指定に応答して、前記シャッター優先モードにおいて、前記撮影画像の明るさを調節するためのゲインの設定を下げることによって、前記ぼけ効果を得る手段をさらに備える。
【００１４】
また、請求項１０の発明は、請求項１に記載のデジタルカメラであって、前記被写体の輝度に基づいて、シャッタースピードと絞り値との所定の組合せを設定するプログラムＡＥモードを有するとともに、前記ぼかし位置の指定に応答して、前記所定の組合せを変更する手段を備える。
【００１５】
【発明の実施の形態】
以下、この発明の実施の形態について図面を参照しつつ詳細に説明する。
【００１６】
＜デジタルカメラの要部構成＞
図１から図４は、本発明の実施形態に係るデジタルカメラ１の正面図、背面図、側面図および底面図であり、図５はデジタルカメラ１の内部構成を示すブロック図である。
【００１７】
デジタルカメラ１は、図１に示すように、箱型のカメラ本体部２と直方体状の撮像部３（図１、図２および図４に太線で図示）とから構成されている。撮像部３は、撮影レンズであるマクロ機能付きズームレンズ３０１を有するとともに、銀塩フィルムを用いるレンズシャッターカメラ（以下、「銀塩カメラ」と称する）と同様に、被写体からのフラッシュ光の反射光を受光する調光センサ３０５、および光学ファインダ３１が設けられる。このズームレンズ３０１は、３５ｍｍフィルムを使用する銀塩カメラに換算して焦点距離３５ｍｍから７０ｍｍまでのズームが可能となっている。
【００１８】
カメラ本体部２の前面には、図１に示すように、左端部にグリップ部４および中央上部に内蔵フラッシュ５が設けられ、上面にはシャッターボタン８が設けられている。
【００１９】
一方、図２に示すように、カメラ本体部２の背面には、略中央に撮影画像のモニタ表示（ビューファインダに相当）、記録画像の再生表示等を行うためのＬＣＤ（液晶表示画面）１０が設けられている。このＬＣＤ１０は、４００×３００画素数の表示画面を有している。また、ＬＣＤ１０の下方に、デジタルカメラ１の操作を行うキースイッチ群２２１〜２２６および電源スイッチ２２７が設けられる。なお、キースイッチ２２１が、後述するＡＦエリア枠ＡＡＲを移動させるためのＡＦ移動モードと、後述するぼかしカーソルＤＣＲを移動させるためのぼかし移動モードと、ＡＦエリア枠ＡＡＲおよびぼかしカーソルＤＣＲのどちらも移動させない固定モードとを切り換える切換スイッチとして機能し、また、キースイッチ２２２が、ぼけ効果を付加したい位置に対応するぼかしカーソルＤＣＲをＬＣＤ１０上に表示させるとともに、ぼけ効果を付加したい位置を指定することができるぼかし撮影モードに切り換えるぼかしカーソルボタンとして、キースイッチ２２３が決定ボタンとして、キースイッチ２２４が拡大表示ボタンとして、キースイッチ２２５が合焦位置に対応するＡＦエリア枠ＡＡＲをＬＣＤ１０上に表示させるＡＦエリア枠ボタンとして、キースイッチ２２６がメニューボタンとして機能する。電源スイッチ２２７の左側には、電源がオン状態で点灯するＬＥＤ２２８およびメモリカード９１へのアクセス中である旨を表示するＬＥＤ２２９が配置される。
【００２０】
さらに、カメラ本体部２の背面には、「撮影モード」、「再生モード」および「プリファレンスモード」の間でモードを切り替えるモード設定スイッチ１４が設けられる（図３参照）。撮影モードは、写真撮影を行うモードであり、再生モードは、メモリカードに記録された撮影済み画像をＬＣＤ１０に再生表示するモードであり、さらに、プリファレンスモードは、表示される表示項目（設定項目）の中から選択することにより各種の設定を行うモードである。
【００２１】
モード設定スイッチ１４は、３接点のスライドスイッチであり、図２において下にセットすると撮影モードに設定され、中央にセットすると再生モードに設定され、上にセットするとプリファレンスモードに設定される。
【００２２】
また、カメラ背面右側には、４連スイッチ２３０が設けられ、撮影モードにおいてボタン２３１，２３２を押すことによりズームレンズ３０１の焦点距離が変わり、ズーム倍率を変更するズーミングが行えるとともに、ボタン２３３，２３４を押すことによって露出補正を手動で行える。
【００２３】
撮像部３の背面には、図２に示すように、ＬＣＤ１０をオン／オフさせるためのＬＣＤボタン３２１およびマクロボタン３２２が設けられる。ＬＣＤボタンが押されるとＬＣＤ表示のオン／オフが切り替わる。例えば、専ら光学ファインダ３１のみを用いて撮影するときには、節電の目的でＬＣＤ表示をオフにする。マクロ撮影時には、マクロボタン３２２が押されることにより、ＡＦモータＭ２（図５参照）が駆動されズームレンズ３０１がマクロ撮影可能な状態になる。
【００２４】
また、カメラ本体部２の側面には、図３に示すようにＤＣ入力端子２３５が設けられる。
【００２５】
カメラ本体部２の底面には、図４に示すように、電池装填室１８と、１つのカードスロット１７（カードスロット部）とが設けられる。カードスロット１７は、メモリカード９１やモデムカード９２などが装填できる。このカードスロット１７については、クラムシェルタイプの蓋１５により開閉自在になっている。
【００２６】
デジタルカメラ１では、４本の単三形乾電池を電池装填室１８に装填することにより、これらを直列接続してなる電源電池２３６（図５参照）を駆動源としている。もちろん、図４に示すＤＣ入力端子からアダプタからの電力を供給して使用することも可能である。
【００２７】
次に、デジタルカメラ１における内部構成について説明する。図５は、デジタルカメラ１の機能的構成を示すブロック図である。また、図６は撮像部３における各部の配置を示す概略図である。
【００２８】
撮像部３におけるズームレンズ３０１の後方位置に、撮像手段として機能するＣＣＤカラーエリアセンサであるＣＣＤ３０３を有している。また、撮像部３の内部には、上記ズームレンズ３０１のズーム比の変更と収容位置、撮像位置間のレンズ移動を行うためのズームモータＭ１、自動的に合焦を行うためのオートフォーカスモータ（ＡＦモータ）Ｍ２、ズームレンズ３０１内に設けられた絞り３０２の開口径を調整するための絞りモータＭ３とが設けられている。これらズームモータＭ１、ＡＦモータＭ２、絞りモータＭ３は、それぞれカメラ本体部２に設けられたズームモータ駆動回路２１５、ＡＦモータ駆動回路２１４、絞りモータ駆動回路２１６によってそれぞれ駆動される。また、各駆動回路２１４〜２１６はカメラ本体部２の全体制御部２１１から与えられる制御信号に基づいて各モータＭ１〜Ｍ３を駆動する。
【００２９】
ＣＣＤ撮像素子３０３は、ズームレンズ３０１によって結像された被写体の光像を、Ｒ（赤）、Ｇ（緑）、Ｂ（青）の色成分の画像信号（各画素で受光された画素信号の信号列からなる信号）に光電変換して出力する。なお、ここでは、ＣＣＤ３０３は、１６００×１２００画素数を有している。
【００３０】
撮像部３における露出制御は、ＣＣＤ３０３の露光量（絞り値、シャッタースピードに相当するＣＣＤ３０３の電荷蓄積時間）を調節して行われる。この露出制御については後述するが、ＣＣＤ３０３において、被写体輝度を測光し、撮影者によって選択された撮影条件モードにしたがって、絞り値とシャッタースピードを決定する。ここでは、撮影条件モードには、ＡＥプログラムにしたがって絞り値とシャッタースピードとの組合せを自動的に設定するプログラムＡＥモードと、予め設定された絞り値で撮影するための絞り優先モードと、予め設定したシャッタースピードで撮影するためのシャッター優先モードの３つの撮影条件モードがある。そして、プログラムＡＥモード、絞り優先モード、およびシャッタースピード優先モードにおいて、被写体輝度が低輝度時に適切な露光量が設定できない場合は、ＣＣＤ３０３から出力される画像信号のレベル調整を行うことにより露光不足による不適正露出が補正される。すなわち、低輝度時は、ゲイン調整を調節する（上げる）ことにより露出制御が行われる。なお、画像信号のレベル調整は、後述の信号処理回路３１３内のＡＧＣ（オートゲインコントロール）回路３１３ｂにより行われる。この自動露光（ＡＥ）における測光に関しては、後で詳述する。
【００３１】
タイミングジェネレータ３１４は、カメラ本体部２内のタイミング制御回路２０２から送信されるクロックに基づきＣＣＤ３０３の駆動制御信号を生成するものである。タイミングジェネレータ３１４は、例えば、積分開始／終了（すなわち、露出開始／終了）のタイミング信号、各画素の受光信号の読出制御信号（水平同期信号，垂直同期信号，転送信号等）等のクロック信号を生成し、ＣＣＤ３０３に出力する。
【００３２】
信号処理回路３１３は、ＣＣＤ３０３から出力される画像信号（アナログ信号）に所定のアナログ信号処理を施すものである。信号処理回路３１３は、その内部にＣＤＳ（相関二重サンプリング）回路３１３ａとＡＧＣ回路３１３ｂとを有し、ＣＤＳ回路３１３ａにより画像信号のノイズの低減を行い、ＡＧＣ回路３１３ｂのゲインを調整することにより画像信号のレベル調整を行う。なお、ここでは、ゲインの設定範囲は４〜１６ｄＢであるものとする。
【００３３】
調光回路３０４は、フラッシュ撮影における内蔵フラッシュ５の発光量をカメラ本体部２の全体制御部２１１により設定された所定の発光量に制御するものである。フラッシュ撮影においては、露出開始と同時に被写体からのフラッシュ光の反射光が調光センサ３０５により受光され、この受光量が所定の発光量に達すると、調光回路３０４から全体制御部２１１を介してカメラ本体部２のフラッシュ制御回路２１７へ発光停止信号が出力される。フラッシュ制御回路２１７は、この発光停止信号に応答して内蔵フラッシュ５の発光を強制的に停止し、これにより、内蔵フラッシュ５の発光量が所定の発光量に制御される。
【００３４】
次に、カメラ本体部２の内部ブロックについて説明する。
【００３５】
全体制御部２１１は主にＣＰＵからなり、アドレスバス、データバス、コントロールバスで接続されている上述した撮像部３内およびカメラ本体部２内の各周辺構成の駆動を制御することによってデジタルカメラ１の撮影動作を統括制御するものである。
【００３６】
なお、図５中の画像データの流れについても便宜上、周辺構成間の矢印によって示しているが、実際には、画像データは全体制御部２１１を介して各周辺構成ごとに送られる。また、全体制御部２１１内には、ＤＲＡＭからなるワークＲＡＭ２１１ａ、およびプログラムを格納するためのフラッシュＲＯＭ２１１ｂを内蔵している。
【００３７】
次に、カメラ本体部２の内部における画像信号の処理および画像表示に関する構成について説明する。
【００３８】
撮像部３の信号処理回路３１３から送られたアナログ画像信号はＡ／Ｄ変換器２０５において各画素ごとに１０ビットのデジタル信号に変換される。Ａ／Ｄ変換器２０５は、タイミング制御回路２０２から入力されるＡ／Ｄ変換用のクロックに基づいて各画素信号（アナログ信号）を１０ビットのデジタル信号に変換する。
【００３９】
タイミング制御回路２０２は、全体制御部２１１の制御により、基準クロックやタイミングジェネレータ３１４およびＡ／Ｄ変換器２０５に対するクロックを生成する。
【００４０】
黒レベル補正回路２０６は、Ａ／Ｄ変換された画素信号（以下、「画素データ」という。）の黒レベルを基準の黒レベルに補正するものである。また、ＷＢ回路２０７は、Ｒ，Ｇ，Ｂの各色成分の画素データのレベル変換を行うものであり、後工程のγ補正を考慮したホワイトバランスの自動調整（ＡＷＢ）を行う。ホワイトバランスの調整は、全体制御部２１１からＷＢ回路２０７に入力されるレベル変換テーブル（正確にはそのデータ）を用いて行われ、レベル変換テーブルの各色成分の変換係数（特性の傾き）は全体制御部２１１により撮影画像毎に設定される。
【００４１】
γ補正回路２０８は、画素データのγ特性を補正するものである。γ補正回路２０８からの出力は画像メモリ２０９に送られる。
【００４２】
画像メモリ２０９は、γ補正回路２０８から出力される画素データを記憶するメモリであり、１フレーム分の記憶容量を有している。すなわち、画像メモリ２０９は、ＣＣＤ３０３が１６００×１２００のマトリクス状に配列した画素を有している場合、１６００×１２００画素分の画素データの記憶容量を有し、各画素データが対応する記憶領域（アドレス）に記憶されるようになっている。
【００４３】
ＶＲＡＭ２１０は、ＬＣＤ１０に再生表示される画像データのバッファメモリである。ＶＲＡＭ２１０は、ＬＣＤ１０の４００×３００画素に対応した画像データの記憶容量、すなわち４００×３００画素分の容量を有している。
【００４４】
このような構成により、撮影モードにおける撮影待機状態においては、撮像部３により所定間隔毎に撮像された画像の各画素データがＡ／Ｄ変換器２０５〜γ補正回路２０８により処理され、画像メモリ２０９に記憶されるとともに全体制御部２１１を介してＶＲＡＭ２１０に転送され、ＬＣＤ１０に表示される。これにより、被写体に関する撮影前の画像をＬＣＤ１０に動画的に表示するライブビュー表示が行えることとなる。
【００４５】
すなわち、ライブビュー表示では、図７に示すように、１６００×１２００画素の画像メモリ２０９内の画像データを、縦横１／４に間引いて４００×３００画素のＶＲＡＭ２１０に転送されることとなる。また、ここで、拡大表示ボタン２２４が押下されると、画像メモリ２０９内の４００×３００画素分の画像データが切り出され、これをＶＲＡＭ２１０に転送することによって、縦横４倍に拡大表示される。
【００４６】
このように拡大表示ボタン２２４の押下により、撮影者はＬＣＤ１０において、ＣＣＤ３０３で取得されている画像とその拡大画像とを簡単に切替えることができる。ここでは、後述するぼけ効果を付加したい位置を拡大表示することにより、ぼけ効果を確認することができる。
【００４７】
また、再生モードにおいては、メモリカード９１から読み出された画像に全体制御部２１１による所定の信号処理が施された後、ＶＲＡＭ２１０に転送されてＬＣＤ１０に再生表示される。なお、ＬＣＤ１０において画像を表示する際には、全体制御部２１１の制御によりバックライト１６が点灯する。
【００４８】
次に、カメラ本体部２内のその他の構成について順に説明する。
【００４９】
カードＩ／Ｆ２１２は、カードスロット１７に装填された各種の機能カードとの間で信号の受け渡しを行うインタフェースである。具体的にはメモリカード９１の画像データの書込みおよび画像データの読出しを行ったり、モデムカード９２を介してデジタルカメラ１の外部とデータ入出力を行う。
【００５０】
フラッシュ制御回路２１７は、前述のように、内蔵フラッシュ５の発光を制御する回路である。フラッシュ制御回路２１７は、全体制御部２１１の制御信号に基づき内蔵フラッシュ５の発光の有無、発光量および発光タイミング等を制御し、調光回路３０４から入力される発光停止信号に基づき内蔵フラッシュ５の発光量を制御する。
【００５１】
時計回路２１９は、撮影日時を管理するするための時計回路である。図示しない別の電源で駆動される。
【００５２】
また、カメラ本体部２内には、前述したようにズームモータＭ１、ＡＦモータＭ２および絞りモータＭ３を駆動するためのズームモータ駆動回路２１５、ＡＦモータ駆動回路２１４および絞りモータ駆動回路２１６が設けられる。これらの回路は、シャッターボタン８やその他の上述した各種スイッチ、ボタンである操作部２５０の操作に応じて機能する。
【００５３】
例えば、シャッターボタン８は銀塩カメラで採用されているような半押し状態（Ｓ１）と押し込んだ状態（Ｓ２）とが検出可能な２段階スイッチになっており、待機状態でシャッターボタン８を半押し状態にすると、ＡＦモータ駆動回路２１４がＡＦモータＭ２を駆動し、合焦位置へズームレンズ３０１を移動させる。このときに、合焦位置とデジタルカメラ１との距離を算出することができる。また、後述するぼけ効果を付加したい位置とデジタルカメラ１との距離も、同様に、ぼけ効果を付加したい位置を合焦位置とみなしてズームレンズ３０１を移動させることにより算出することができる。これらの距離の算出については、後で詳述する。
【００５４】
また、絞り３０２についても待機状態でシャッターボタン８を半押し状態にすると、現在の撮影条件モードにしたがって絞り値が決定し、絞りモータＭ３を駆動して絞り３０２の開口径の調整を制御する。この絞り３０２の制御についてはさらに後述する。
【００５５】
また、ボタン２３１，２３２が押されると、これらのボタンからの信号が全体制御部２１１に送られ、全体制御部２１１の指示によってズームモータ駆動回路２１５がズームモータＭ１を駆動してズームレンズを移動させ、光学的なズーミングを行う。
【００５６】
以上、カメラ本体部２内の各構成について説明したが、全体制御部２１１は周辺構成とのデータの受け渡しやタイミング制御の他に様々な機能をソフトウェア的に行うものとなっている。
【００５７】
例えば、全体制御部２１１は露出制御値（絞り値、シャッタースピード）を設定するための輝度判定機能、絞り値設定機能、およびシャッタースピード設定機能とを備えている。輝度判定機能とは、撮影待機状態において、ＣＣＤ３０３により１／３０秒毎に取り込まれ、画像メモリ２０９に記憶される画像を利用して被写体の明るさを判定するものである。絞り値設定機能、シャッタースピード設定機能とは、プログラムＡＥモードにおいては、輝度判定による被写体の明るさの判定結果（被写体輝度）とＡＥプログラムとに基づいて絞り値およびシャッタースピード（ＣＣＤ３０３の露光量）を設定するものであり、絞り優先モードにおいては、被写体輝度と予め設定された絞り値とからシャッタースピードを設定するものであり、シャッター優先モードにおいては、被写体輝度と予め設定されたシャッタースピードとから絞り値を設定するものである。なお、プログラムＡＥモード、絞り優先モード、およびシャッター優先モードの各撮影条件モードにおける絞り値およびシャッタースピード等の設定については、デジタルカメラ１の動作の説明においてさらに後述する。
【００５８】
また、全体制御部２１１は撮影画像の記録処理を行うために、フィルタリング処理機能、記録画像生成機能、さらには、再生画像生成機能を備えている。
【００５９】
フィルタリング処理機能とは、デジタルフィルタにより記録すべき画像の高周波成分を補正して輪郭に関する画質の補正を行うものである。
【００６０】
記録画像生成機能は、画像メモリ２０９から画素データを読み出してメモリカード９１に記録すべきサムネイル画像と圧縮画像とを生成する。具体的には、画像メモリ２０９からラスタ走査方向に走査しつつ、横方向と縦方向の両方向でそれぞれ８画素毎に画素データを読み出し、順次、メモリカード９１に転送することで、サムネイル画像を生成しつつメモリカード９１に記録する。また、メモリカード９１への圧縮画像データの記録に際して画像メモリ２０９から全画素データを読み出し、これらの画素データに２次元ＤＣＴ変換、ハフマン符号化等のＪＰＥＧ方式による所定の圧縮処理を施してメモリカード９１に記録する。
【００６１】
具体的な操作としては、撮影モードにおいて、シャッターボタン８により撮影が指示されると、撮影指示後に画像メモリ２０９に取り込まれた画像のサムネイル画像と設定された圧縮率によりＪＰＥＧ方式により圧縮された圧縮画像とを生成し、撮影画像に関するタグ情報（コマ番号、露出値、シャッタースピード、圧縮率、撮影日、撮影時のフラッシュのオン／オフのデータ、シーン情報、画像の判定結果等の情報）とともに両画像をメモリカード９１に記憶する。なお、撮影モードがぼかしモードの場合は、シャッターボタン８による撮影指示と、撮影者による記録処理の指示によりメモリカード９１への記録処理を行う。記録画像のデータ形式については後述する。
【００６２】
また、再生画像生成機能はメモリカードに記録された圧縮画像をデータ伸張して再生画像を生成する機能である。具体的な操作としては、モード設定スイッチ１４を再生モードに設定すると、メモリカード内のコマ番号の最も大きな画像データが読み出されてデータ伸張され、ＶＲＡＭ２１０に転送される。これにより、ＬＣＤ１０にはコマ番号の最も大きな画像、すなわち直近に撮影された画像が表示される。
【００６３】
図８はメモリカード９１のデータ配列を示す図である。このメモリカード９１は、主に撮影画像データを記録する記録媒体として機能する。図８に示すように、メモリカード９１にはデジタルカメラ１によって記録された画像の各コマが順に配列して記憶される。また、各コマはタグ情報ＴＧとＪＰＥＧ形式で圧縮された高解像度画像データＨＤ（（１６００×１２００）画素）とサムネイル表示用のサムネイル画像データＳＤ（８０×６０）画素）とが記録されている。また、１コマ分の画像データの容量は約１ＭＢとなっている。
【００６４】
＜ＡＦについて＞
デジタルカメラ１では、合焦を行う特定位置であるＡＦエリアを示すＡＦエリア枠ＡＡＲがＬＣＤ１０に表示されることとなるが、これに関して以下で説明する。
【００６５】
図９は、デジタルカメラ１の部分ブロック図である。
【００６６】
全体制御部２１１は、ＡＦエリア枠発生部２１１ｆと、ＡＦエリア枠表示位置制御部２１１ｇと、解像度変換部２１１ｈと、画像合成部２１１ｉと、評価値演算部２１１ｋ、距離演算部２１１ｌとを有している。
【００６７】
ＡＦエリア枠発生部２１１ｆは、ＬＣＤ１０において、図１７に示すＡＦエリア枠ＡＡＲを発生させるためのＡＦエリア枠データをフラッシュＲＯＭ２１１ｂから読出し、ＡＦエリア枠表示位置制御部２１１ｇに転送する。なお、ＡＦエリア枠ＡＡＲは、長方形の枠であり、そのサイズは、ＬＣＤ１０上で２０×５０画素の大きさとなっている。ここでは、ＡＦエリア枠ＡＡＲ内の領域が、合焦に利用するＡＦエリアに相当する。
【００６８】
ＡＦエリア枠表示位置制御部２１１ｇでは、撮影者による操作部２５０に対する操作入力に基づき、ＬＣＤ１０上のＡＦエリア枠ＡＡＲの表示位置を変更する。
【００６９】
解像度変換部２１１ｈでは、上述したように、ＣＣＤ３０３で取得される画像データを１／４に間引いた画像を画像合成部２１１ｉに転送する。
【００７０】
画像合成部２１１ｉでは、解像度変換部２１１ｈから入力される画像と、ＡＦエリア枠表示位置制御部２１１ｇから入力されるＡＦエリア枠ＡＡＲの画像とを合成し、ＶＲＡＭ２１０に伝送する。
【００７１】
評価値演算部２１１ｋは、シャッターボタン８が半押し状態（Ｓ１）になった場合に、コントラスト方式のＡＦを行うための評価値演算動作が行われる。ここでは、ＡＦエリアに相当する撮影画像データに関して、隣接する各画素に関する差分の絶対値の和である評価値が演算される。そして、レンズを駆動し、この評価値の最も高いレンズ位置が合焦位置とされる。よって、合焦位置に対応するＡＦエリアに関してズームレンズ３０１を駆動し合焦を行うため、主被写体などを狙ってピントを合わせることができる。
【００７２】
距離演算部２１１ｌは、評価値演算部２１１ｋにおいて、評価値の最も高いレンズ位置が決まることにより、そのレンズ位置から、合焦位置の被写体（主被写体）とデジタルカメラ１との距離を算出する。なお、ここで算出される距離とレンズ位置との関係を示す式はフラッシュＲＯＭ２１１ｂに記憶されている。
【００７３】
＜ぼけ効果を付加したい位置について＞
デジタルカメラ１では、ぼけ効果を付加したい位置がある場合は、ぼかしカーソルボタン２２２を押下すると、ぼかしモードが選択され、ぼけ効果を付加したい位置に対応するぼかしカーソルＤＣＲがＬＣＤ１０に表示されることとなるが、これに関して以下で説明する。
【００７４】
図１０は、デジタルカメラ１の部分ブロック図である。
【００７５】
全体制御部２１１は、ぼかしカーソル発生部２１１ｖと、ぼかしカーソル表示位置制御部２１１ｗと、拡大指定エリア設定部２１１ｘと、解像度変換部２１１ｈと、画像合成部２１１ｉと、ぼかしカーソルに対する評価値演算エリア設定部２１１ｙと、評価値演算部２１１ｋと、距離演算部２１１ｌとを有している。なお、解像度変換部２１１ｈと、画像合成部２１１ｉと、評価値演算部２１１ｋと、距離演算部２１１ｌは、図９で示したものを兼用しているため、同様な符号を付している。
【００７６】
ぼかしカーソル発生部２１１ｖは、ＬＣＤ１０において、図１７に示すぼかしカーソルＤＣＲを発生させるためのカーソルデータをフラッシュＲＯＭ２１１ｂから読出し、ぼかしカーソル表示位置制御部２１１ｗに転送する。なお、ぼかしカーソルＤＣＲは、十字の形状を有し、そのサイズは、ＬＣＤ１０上で１６×１６画素の大きさとなっている。
【００７７】
ぼかしカーソル表示位置制御部２１１ｗでは、撮影者による操作部２５０に対する操作入力に基づき、ＬＣＤ１０上のぼかしカーソルＤＣＲの表示位置を変更する。
【００７８】
拡大指定エリア設定部２１１ｘは、ＬＣＤ１０の画面におけるぼかしカーソルＤＣＲに対応し、後述するぼけ効果を出すことができたかどうかを確認するために拡大表示するための拡大指定エリアＺＡＲを設定する。なお、拡大指定エリアＺＡＲは、画像メモリ２０９の画像データにおいて、４００×３００画素数の画像データからなる。
【００７９】
解像度変換部２１１ｈでは、前述したように、ＣＣＤ３０３で取得される画像データを１／４に間引いた画像を画像合成部２１１ｉに転送する。また、ぼけ効果を確認するため、４００×３００画素数からなる拡大指定エリアＺＡＲを画像メモリ２０９から抜き出して、そのまま画像合成部２１１ｉに転送することもできる。
【００８０】
画像合成部２１１ｉでは、解像度変換部２１１ｈから入力される画像と、ぼかしカーソル表示位置制御部２１１ｗから入力されるぼかしカーソルＤＣＲの画像とを合成し、ＶＲＡＭ２１０に伝送する。この合成動作により、ＬＣＤ１０上のぼかしカーソルＤＣＲの大きさは、解像度変換部２１１ｈにおける間引き率によらず一定のサイズとなる。なお、拡大指定エリアＺＡＲのみをＬＣＤ１０に表示する場合は、ぼかしカーソルＤＣＲは表示されるが、上述したＡＦエリア枠ＡＡＲは表示されないように画像合成部２１１ｉによって画像が合成される。
【００８１】
ぼかしカーソルに対する評価値演算エリア設定部２１１ｙは、ＬＣＤ１０の画面におけるぼかしカーソルＤＣＲに対応し、図１３に示すように、ぼけ効果を付加したい位置の距離を測定するためのぼかしカーソルに対する評価値演算エリアＤＡＲを設定する。なお、ここでは、ぼかしカーソルに対する評価値演算エリアＤＡＲはＬＣＤ１０上で２０×５０画素数の大きさとなっている。
【００８２】
評価値演算部２１１ｋは、合焦位置に対応するＡＦエリアに関してズームレンズ３０１を駆動して合焦するときと同様な動作によって、ぼかしカーソルに対する評価値演算エリアＤＡＲに相当する撮影画像データに関して、隣接する各画素に関する差分の絶対値の和である評価値が演算される。そして、レンズを駆動し、この評価値の最も高いレンズ位置を決定する。
【００８３】
距離演算部２１１ｌは、評価値演算部２１１ｋにおいて、ぼかしカーソルに対する評価値演算エリアＤＡＲに関して評価値の最も高いレンズ位置が決まることにより、合焦位置の被写体（主被写体）とデジタルカメラ１との距離を求めたときと同様に、ここでも、レンズ位置から、ぼけ効果を付加したい位置の被写体とデジタルカメラ１との距離を算出する。
【００８４】
＜被写界深度とぼけ効果について＞
図１１は、被写界深度を説明する図である。図１１では、ズームレンズ３０１から距離Ｗだけ離れた主被写体１１０に合焦している状況を示しており、被写体像はＣＣＤ３０３に結像されている。ここでは、ＣＣＤ３０３の画素間のピッチ（間隔）をｄ、許容錯乱円をδとすると、δ＝ｋｄと表される。ｋは装置固有の定数であり、例えばｋ＝２と設定される。さらに、合焦させたい被写体（主被写体）までの距離をＷ、ズームレンズ３０１に含まれる絞り３０２の開口径をＤ、ズームレンズ３０１の焦点距離をｆ、ズームレンズ３０１のＦナンバー（絞り値）をＦ＝ｆ／Ｄとすると、被写界深度内に入る位置は、ズームレンズ３０１からの距離が、Ｌ１（下記数１）からＬ２（下記数２）までの間となる。
【００８５】
【数１】
0003601500.tif 000002
【００８６】
【数２】
0003601500.tif 000003
【００８７】
つまり、ズームレンズ３０１からの距離、つまりは、デジタルカメラ１からの距離が、Ｌ１からＬ２の範囲内の被写体に対して合焦することとなり、逆に、デジタルカメラ１からの距離が、Ｌ１からＬ２の範囲外の被写体対しては合焦せず、ぼけた画像となる。
【００８８】
また、数１および数２より、絞り３０２を開くと、開口径Ｄが大きくなり、Ｆナンバー（絞り値）が小さくなるため、Ｌ１は大きく、Ｌ２は小さくなり、被写界深度が小さくなるため、デジタルカメラ１からの距離が、主被写体から少しずれると、ぼけた像となり易い傾向を示す。一方、絞り３０２を閉じていくと、開口径Ｄが小さくなり、Ｆナンバー（絞り値）が大きくなるため、Ｌ１は小さく、Ｌ２は大きくなり、被写界深度が大きくなるため、デジタルカメラ１からの距離が、主被写体から多少ずれても、ぼけた像とはなり難い傾向を示す。
【００８９】
したがって、ここでは、上述した距離演算部２１１ｌにおいて算出されたデジタルカメラ１と主被写体との距離、およびデジタルカメラ１とぼけ効果を付加したい位置の被写体との距離を基に、ぼけ効果を付加したい位置の被写体を被写界深度の範囲外とすることでぼけ効果を出すことができる。このぼけ効果を付加したい位置の被写体を被写界深度の範囲外とすることは、例えば、撮影光学系の一部である絞り３０２を制御（開放等）することによって、被写界深度の範囲を狭くすることにより達成される。ここでの絞り３０２等の制御は、全体制御部２１１で制御され、詳細については後述する。なお、ここでは、単に、ぼけ効果を付加したい位置の被写体を被写界深度の範囲外とすることによって、ぼけ効果を付加したい位置の被写体においてぼけ効果を出しているが、これに限られるものではなく、ぼけ効果をより大きくするために、ぼけ効果を付加したい位置の被写体と合焦している主被写体との距離を被写界深度の数倍としても良く、例えば、ぼけ効果を付加したい位置の被写体と主被写体との距離を被写界深度の４倍程度としても良い。
【００９０】
＜ＡＥについて＞
ＡＥについては、上述したＡＦエリア枠ＡＡＲのＬＣＤ１０の画面における位置に基づき、中央重点測光に基づくＡＥが行われる。換言すれば、ＡＦエリア枠ＡＡＲが、測光位置を決定するＡＥカーソルとして機能することとなる。
【００９１】
この測光では、図１２に示すように、ＡＦエリア枠ＡＡＲを中心に、測光領域として働く楕円Ｅａおよび楕円Ｅｂを設定し、楕円Ｅａの内部を例えば重み係数８とし、楕円Ｅａから楕円Ｅｂまでの領域を例えば重み係数２としてＣＣＤ３０３で取得した画像データに対する測光演算を行う。これにより、主被写体を狙った適切な測光が可能となる。また、ここでは、図示を省略するが、上述したＡＦエリア枠ＡＡＲを中心に測光する場合と同様な手法によってぼかしカーソルＤＣＲを中心に測光することが可能である。そして、ここでは、ＡＦエリア枠ＡＡＲおよびぼかしカーソルＤＣＲを中心とした測光結果である露出値を用いて適切な露光制御を行う。
【００９２】
そして、得られた露出値に基づき、撮影条件モードであるプログラムＡＥモード、絞り優先モード、およびシャッター優先モード等にしたがって、適正な絞り値およびシャッタースピードが決定される。
【００９３】
＜ライブビュー画像の拡大表示について＞
図１３には、ＬＣＤ１０に表示されるライブビュー画像と、ＡＦエリア枠ＡＡＲ及びぼかしカーソルＤＣＲ、ぼかしカーソルに対する評価値演算エリアＤＡＲ、拡大指定エリアＺＡＲの関係を説明する図を示しており、図１４には、ライブビュー画像中の拡大指定エリアＺＡＲをＬＣＤ１０に拡大表示する様子を説明する図を示している。図１３に示すように、ＡＦエリア枠ＡＡＲおよびぼかしカーソルＤＣＲの位置が決められているとすると、拡大指定エリアＺＡＲはぼかしカーソルＤＣＲの位置を含むエリアとなる。拡大指定エリアＺＡＲは、画像メモリ２０９においては、４００×３００画素数のエリアであり、拡大表示されていないライブビュー画像上においては１００×７５画素数のエリアに該当する。なお、図１３に示している拡大指定エリアＺＡＲおよびぼかしカーソルに対する評価値演算エリアＤＡＲを示す枠は実際にはＬＣＤ１０には表示されておらず、ここでは、説明のために便宜上示している。そして、拡大指定エリアＺＡＲを拡大表示するための拡大表示ボタン２２４が押下されると、図１４に示すように、拡大指定エリアＺＡＲのライブビュー画像をＬＣＤ１０に拡大表示する。なお、ライブビュー画像を拡大する前は、４００×３００画素数の間引き画像がＬＣＤ１０に表示されているが、拡大指定エリアＺＡＲのライブビュー画像をＬＣＤ１０に拡大表示する場合は、間引き画像でない拡大指定エリアＺＡＲに対応する４００×３００画素数のライブビュー画像をＬＣＤ１０に表示する。
【００９４】
＜撮影条件モードの設定について＞
図１５は、撮影者によって、撮影条件モードが設定される際にＬＣＤ１０に表示する操作画面を示している。ここでは、モード設定スイッチ１４が上にセットされることによりプリファレンスモードに設定され、メニューボタン２２６が押下されることにより、図１５に示す画面をＬＣＤ１０に表示する。ここでは、まず、現在の撮影条件モードにカーソルＣＲ１が合っており、そして、４連スイッチ２３０のボタン２３３，２３４が押下されてカーソルＣＲ１が上下に移動されて、「Ｐ（プログラムＡＥモード）」、「Ｓ（シャッター優先モード）」、「Ａ（絞り優先モード）」のうちから所望の撮影条件モードが選択され、さらに、決定ボタン２２３が押下されることによって所望の撮影条件モードが設定される。
【００９５】
＜絞り値の設定について＞
図１６は、撮影者によって、絞り値が設定される際にＬＣＤ１０に表示する操作画面を示している。ここでは、モード設定スイッチ１４が上にセットされることによりプリファレンスモードに設定され、メニューボタン２２６が数回押下されることにより、図１６に示す画面をＬＣＤ１０に表示することができる。ここでは、まず、現在の絞り値にカーソルＣＲ２が合っており、そして、４連スイッチ２３０のボタン２３３，２３４が押下されてカーソルＣＲ２が上下に移動されて、絞り値「２．８」、「５．６」、「８」、「１１」のうちから所望の絞り値が選択され、さらに、決定ボタン２２３が押下されることにより所望の絞り値が設定される。なお、ここで説明した絞り値の設定により、絞り優先モードにおける絞り値が設定される。
【００９６】
＜デジタルカメラ１におけるぼかし撮影モードの動作＞
以下では、デジタルカメラ１におけるぼかし撮影モードにおける撮影処理の動作を説明する。この動作は、撮影者による所定の操作に従って、全体制御部２１１により自動的に実行される。
【００９７】
図１７は、ぼかし撮影モードにおいて、ＡＦエリア枠ＡＡＲとぼかしカーソルＤＣＲの設定をする際にＬＣＤ１０に表示される画面を説明する図である。
【００９８】
撮影待機状態において、ＬＣＤ１０にライブビュー表示がされている状態から、撮影者によって、ＡＦエリア枠ボタン２２５が撮影者によって押下されると合焦位置を決定するためのＡＦエリア枠ＡＡＲをＬＣＤ１０に表示し、ＬＣＤ１０の画面左上に現在の撮影条件モードを示す記号（「Ｐ」、「Ｓ」、「Ａ」）１６Ｋが出現する。ここでは、プログラムＡＥモードを示す「Ｐ」を表示している例を示している。続いて、撮影者によって、ぼかしカーソルボタン２２２が押下されるとぼけ効果を付加したい位置に対応するぼかしカーソルＤＣＲをＬＣＤ１０に表示する。このぼかしカーソルボタン２２２が押下されることによって、ぼかしカーソルＤＣＲを発生した時点で、撮影モードがぼかし撮影モードとなる。
【００９９】
そして、撮影者によって、切換スイッチ２２１が押下されることにより、ＡＦエリア枠ＡＡＲを移動させるためのＡＦ移動モードと、ぼかしカーソルＤＣＲを移動させるためのぼかし移動モードとが切り換わり、それぞれについて、撮影者によって、４連スイッチ２３０のボタン２３１〜２３４が押下されることにより、ＡＦエリア枠ＡＡＲおよびぼかしカーソルＤＣＲを上下左右に移動する。ここでは、上述したように、切換スイッチ２２１を押下されるごとに、ＡＦエリア枠ＡＡＲを移動させるためのＡＦ移動モードと、ぼかしカーソルＤＣＲを移動させるためのぼかし移動モードと、ＡＦエリア枠ＡＡＲおよびぼかしカーソルＤＣＲのどちらも移動させない固定モードとを切り換える。なお、固定モードが選択されている場合、つまり、ＡＦ移動モードとぼかし移動モードが選択されていない場合には、撮影者によって、４連スイッチ２３０が押下されることにより、上述したように、ズームレンズ３０１の焦点距離が変わって、ズーム倍率を変更するズーミングを行ったり、露出補正を行ったりする。
【０１００】
図１８〜図２０は、ぼかし撮影モードにおけるデジタルカメラ１の撮影処理における動作を説明するフローチャートであり、ここでの動作は、撮影者の操作に従って、全体制御部２１１によって制御される。
【０１０１】
まず、撮影待機状態において、ＬＣＤ１０にライブビュー表示がされている状態から、撮影者によって、ＡＦエリア枠ボタン２２５が押下されて、ＡＦエリア枠ＡＡＲをＬＣＤ１０に表示し、続いて、ぼかしカーソルボタン２２２が押下されるとぼかしカーソルＤＣＲをＬＣＤ１０上に表示し、ぼかし撮影モードにおける撮影処理が開始し、ステップＳ１６１に進む。
【０１０２】
ステップＳ１６１においては、上述したように、撮影者によって、切換スイッチ２２１が押下されることによって、ＡＦ移動モードとぼかし移動モードとが切り換わり、それぞれについて、撮影者によって、４連スイッチ２３０のボタン２３１〜２３４が押下されることにより、ＡＦエリア枠ＡＡＲおよびぼかしカーソルＤＣＲが上下左右に移動し、切換スイッチ２２１が押下されることによって、固定モードとなると、ＡＦエリア枠ＡＡＲとぼかしカーソルＤＣＲの位置が指定されたこととなり、ステップＳ１６２に進む。
【０１０３】
ステップＳ１６２においては、シャッターボタン８が半押しされたかどうかを判断し、シャッターボタン８が半押しされるとステップＳ１６３に進み、シャッターボタン８が半押しされなければ、図１８に示すフローチャートの最初に戻って、処理が行われる。
【０１０４】
ステップＳ１６３においては、上述したようにＡＦエリア枠ＡＡＲおよびぼかしカーソルＤＣＲの位置を中心として測光を行い、測光結果である露出値を決定する。ここでは、測光が行われた後にステップＳ１６４に進む。
【０１０５】
ステップＳ１６４では、現在の撮影条件モードである絞り優先モード、シャッター優先モード、およびプログラムＡＥモードにしたがって、ステップＳ１６３において決定し露出値に基づいて、絞り値とシャッタースピードとの組合せを決定する。例えば、プログラムＡＥモードでは、露出値に対して全体制御部２１１により決定される絞り値（Ｆナンバー）とシャッタースピード（ＣＣＤの露出時間）との関係を示す図２１のプログラム線図にしたがって、絞り値とシャッタースピードとの組合せを決定する。ここでは、絞り値とシャッタースピードが決定され、ステップＳ１６５に進む。
【０１０６】
ステップＳ１６５では、上述したように、ぼかしカーソルＤＣＲの位置を中心としたぼかしカーソルに対する評価値演算エリアＤＡＲにおいて評価値が最大となる位置すなわちズームレンズ３０１の合焦位置を求めることにより、ぼかしカーソルに対する評価値演算エリアＤＡＲにおける被写体までの距離を測定して、ステップＳ１６６に進む。
【０１０７】
ステップＳ１６６では、上述したように、ＡＦエリア枠ＡＡＲ内に相当するＡＦエリアにおいて評価値が最大となる位置すなわちズームレンズ３０１の合焦位置を求めることにより、ＡＦエリアにおける主被写体までの距離を測定する。このとき、ＡＦエリアにおける主被写体に合焦するオートフォーカス動作が行われているため、ズームレンズ３０１の位置は、ＡＦエリアにおける主被写体に合焦するような位置となっている。ここでは、主被写体に対するオートフォーカスと距離の測定を行い、ステップＳ１６７に進む。
【０１０８】
ステップＳ１６７においては、現在の絞り値と焦点距離設定で所望のぼけ効果があるかどうかを評価する。つまり、ステップＳ１６４で決定された絞り値と、ステップＳ１６５で測定されたぼかしカーソルに対する評価値演算エリアＤＡＲにおける被写体までの距離と、ステップＳ１６６で測定されたＡＦエリアにおける主被写体までの距離とから、ぼかしカーソルに対する評価値演算エリアＤＡＲにおける被写体までの距離が、被写界深度の範囲外であるかどうかを評価する。この評価は、全体制御部２１１において行う。ここでは、所望のぼけ効果があるかどうかを評価して、ステップＳ１６８に進む。
【０１０９】
ステップＳ１６８においては、ステップＳ１６７で評価した結果をもとにぼけ効果があるかどうかを判断する。ここでの判断は全体制御部２１１において実行する。そして、ぼけ効果があると判断した場合は、図１９におけるステップＳ１７１に進み、ぼけ効果がないと判断した場合は、図２０におけるステップＳ１８１に進む。
【０１１０】
まず、ステップＳ１６８からステップＳ１７１に進んだ場合について説明する。
【０１１１】
ステップＳ１７１においては、撮影前の被写体についてのライブビュー画像をプレビュー画像としてＬＣＤ１０に表示する。ここでは、上述したようにＬＣＤ１０に表示される画像がステップＳ１６４等で決定された絞り値およびシャッタースピードに基づいたプレビュー画像となる。ここでは、プレビュー画像をＬＣＤ１０に表示して、ステップＳ１７２に進む。
【０１１２】
ステップＳ１７２においては、上述したぼかしカーソルＤＣＲを含む拡大指定エリアＺＡＲを拡大表示するための拡大表示ボタン２２４が操作者によって押下されたか否かを判断する。ここでは、拡大表示ボタン２２４が押下されるとステップＳ１７３に進み、拡大表示ボタン２２４が押下されなければステップＳ１７４に進む。
【０１１３】
ステップＳ１７３においては、上述したぼかしカーソルＤＣＲの位置を含む拡大指定エリアＺＡＲのライブビュー画像をプレビュー画像としてＬＣＤ１０に拡大表示する。ここでは、カーソルＤＣＲの位置を含む拡大指定エリアＺＡＲのプレビュー画像をＬＣＤ１０に拡大表示することにより、撮影者の作画意図を満たすぼけ効果が得られているかどうかを確認することができる。ここでは、拡大指定エリアＺＡＲのプレビュー画像をＬＣＤ１０に拡大表示した後に、ステップＳ１７４に進む。
【０１１４】
ステップＳ１７４においては、シャッターボタン８が全押しされたか否かを判断する。つまり、シャッターボタン８が全押しされると、１２００×１６００画素数の撮影画像を取得し、ステップＳ１７５に進み、シャッターボタン８が全押しされなければ、図１８に示すフローチャートの最初に戻る。ここでは、シャッターボタン８が全押しされず、再びシャッターボタン８が半押しされたり、ＡＦエリア枠ＡＡＲやぼかしカーソルＤＣＲが移動されたりすると図１８に示すフローチャートの最初に戻り、ステップＳ１６２やステップＳ１６１から再び処理が行われる。また、ここでは、ＬＣＤ１０に表示されるプレビュー画像上でぼかしカーソルＤＣＲを移動し、位置を設定することもできるため、撮影前に作画意図が反映されているか否かを確認することができるため、撮影者の作画意図が反映されていない撮影画像の取得を未然に防ぐことができる。さらに、図１８〜図１９のステップＳ１７４までのステップを繰り返すことによって、プレビュー画像が更新されるため、撮影者の作画意図が十分反映されているかどうかを逐次確認することができる。
【０１１５】
ステップ１７５においては、撮影画像のうち、ぼかしカーソルＤＣＲを含む拡大指定エリアＺＡＲの拡大画像（拡大アフタービュー画像）をＬＣＤ１０に表示する。つまり、１２００×１６００画素数の撮影画像のうち、拡大指定エリアＺＡＲに対応する４００×３００画素数の拡大画像をＬＣＤ１０に表示する。ここでは、撮影画像においてぼけ効果を付加したい位置を拡大表示することができるため、撮影者の作画意図を満たすぼけ効果が得られているかどうかを確認することができ、そして、ステップＳ１７６に進む。
【０１１６】
ステップＳ１７６においては、撮影者の操作に基づいて、撮影画像を削除するか否かを判断する。具体的には、ステップＳ１７５においてＬＣＤ１０に表示された拡大画像をもとに、撮影者が所望のぼけ効果が得られているかどうかを判断し、撮影者によって、撮影画像を削除したい場合にはボタン２３１が押下され、また、撮影画像をメモリカード９１に記録したい場合にはキースイッチ２２５が押下される。そして、この撮影者の判断に基づいて、撮影画像を削除するか否かを判断し、撮影画像を削除する場合にはステップＳ１７７に進み、撮影画像を削除しない場合にはステップＳ１７８に進む。
【０１１７】
ステップＳ１７７においては、画像メモリ２０９に一時記憶している撮影画像を削除（クリア）し、再び、図１８のフローチャートの最初に戻る。このとき、もしも、ステップＳ１７５においてＬＣＤ１０に表示された拡大画像において、絞り優先モード等における絞り値が小さ過ぎて、ぼけ効果を付加したい位置がぼけ過ぎている場合等は、図１６に示した画面で、撮影者によって、絞り値が大きくなるように再設定され、ぼけ効果の程度が調節されて、次回撮影する際に撮影画像に所望のぼけ効果を付加することが可能となる。一方、もしも、ぼけ効果を付加したい位置のぼけ効果の度合いが所望のぼけ効果よりも少ない場合は、図１６に示した画面で、撮影者によって、絞り値が小さくなるように再設定され、ぼけ効果の程度が調節されて、次回撮影する際に撮影画像に所望のぼけ効果を付加することが可能となる。つまり、絞り値の変更によって、ぼけ効果の程度を撮影者が種々設定することができるため、撮影者の作画意図を十分反映させた画像を取得することができる。また、ぼかし量の設定のための特別な処理を実施する機能および特別な部材を設けることなく、撮影者の作画意図を十分反映したぼかし量を設定することができる。なお、ここでは、図１６に示した画面で、絞り値が調整されたが、ズームレンズ３０１の鏡胴の側面に絞り値を調節するためのしぼりリングがあって、そのしぼりリングが撮影者によって操作されることにより絞り値が種々変更されるようなものであっても良い。
【０１１８】
ステップＳ１７８においては、画像メモリ２０９に一時記録している撮影画像を高解像度画像データＨＤとサムネイル画像データＳＤとしてタグ情報ＴＧとともにメモリカード９１に記録処理し、再び、図１８のフローチャートの最初に戻る。
【０１１９】
次に、図１８のステップＳ１６８から図２０のステップＳ１８１に進んだ場合について説明する。
【０１２０】
ステップＳ１８１においては、ぼけ効果を付加したい位置においてぼけ効果を付加するために、絞りを開放した場合にぼけ効果が望めないか否かを判断する。つまり、ステップＳ１６５で測定されたぼかしカーソルに対する評価値演算エリアＤＡＲにおける被写体までの距離と、ステップＳ１６６で測定されたＡＦエリアにおける主被写体までの距離とから、絞り３０２を開放した際に、ぼかしカーソルに対する評価値演算エリアＤＡＲにおける被写体までの距離を、被写界深度の範囲外とすることができるかどうかを判断する。なお、ここでは、全体制御部２１１において、数１、数２の式に従って絞り３０２を開放した際の被写界深度を求めている。そして、絞り３０２を開放した場合にもぼけ効果が望めないと判断したときにはステップＳ１８２に進み、絞り３０２を開放した場合にぼけ効果が望めると判断したときにはステップＳ１８３に進む。
【０１２１】
ステップＳ１８２においては、これ以上のぼけ効果は望めない旨の警告である「これ以上ぼけ効果は望めない」との文言をＬＣＤ１０に表示警告し、図１９のステップＳ１７１に進む。つまり、これ以上のぼけ効果は望めないものの図１９に示すフローチャートに従って、一応撮影処理が進んで行くことになり、所望のぼけ効果の有無に拘わらず、撮影画像の取得を実施するか否かは、撮影者の判断に委ねられることとなる。ここでは、撮影者によって予め設定された撮影条件では、所望のぼけ効果を付加することができない旨を事前に知らせることによって、撮影者の作画意図が反映されていない撮影の失敗を未然に防ぐことができる。
【０１２２】
ステップＳ１８３においては、現在の撮影条件モードが絞り優先モードか否かを判断する。もしも、現在の撮影条件モードが絞り優先モードであれば、ステップＳ１８４に進み、現在の撮影条件モードが絞り優先モードでなければ、ステップＳ１８５に進む。
【０１２３】
ステップＳ１８４においては、現在の絞り値ではぼけ効果は望めない旨の警告である「この絞りではぼけ効果は望めないので絞り優先モード解除」との文言をＬＣＤ１０に表示警告し、絞り優先モードを解除して、ステップＳ１８５に進む。ここでも、ステップＳ１８２と同様に、撮影者によって予め設定された撮影条件では、所望のぼけ効果を付加することができない旨を事前に知らせることによって、撮影者の作画意図が反映されていない撮影の失敗を未然に防ぐことができる。
【０１２４】
ステップＳ１８５においては、現在の撮影条件モードがシャッター優先モードであるか否かを判断する。もしも、現在の撮影条件モードがシャッター優先モードであれば、ステップＳ１８６に進み、現在の撮影条件モードがシャッター優先モードでなければ、ステップＳ１８９に進む。
【０１２５】
ステップＳ１８６においては、上述したように、シャッター優先モードであるため、シャッタースピードを固定したまま、ぼけ効果が得られるように絞り３０２を開き、露光量が高くなり過ぎた分だけ、撮影画像の明るさを調節するためのゲインの設定を下げて画像信号のレベル調整を行う。例えば、シャッター優先モードにおいて、シャッタースピードが１／６０秒に設定された場合、図２３に示すプログラム線図にしたがって、露出値に基づいて絞り値を設定することになる。このとき、ぼけ効果を付加したい位置の被写体が被写界深度の範囲内にある場合、ここで設定された絞り値では、撮影画像にぼけ効果を付加したい位置において、ぼけ効果を付加することができないため、シャッタースピードは予め設定された値のまま固定とし、絞り値を小さくする。具体的には、シャッター優先モードで、露出値が１０のときシャッタースピードが１／６０秒、絞り値が４であったものから、シャッタースピードが１／６０秒、絞り値が２．８といった具合に、絞り値とシャッタースピードとの組合せを変更する。このとき、絞り値が適正な露光量が得られる値よりも小さいため、露光量が高くなり過ぎるため、ＡＧＣ回路３１３ｂによって、ゲインの設定を下げることにより、露光量が高くなり過ぎた分だけ画像信号のレベル調整を行う。したがって、シャッター優先モードにおいて、撮影画像の明るさを調節するためのゲインの設定を下げることにより、所望のぼけ効果を出せるように撮影光学系を設定することができるため、ぼけ効果を含めた撮影者の作画意図を十分反映させることができる。ここでは、絞り３０２を開き、ゲインを下げた後に、ステップＳ１８７に進む。
【０１２６】
ステップＳ１８７においては、ステップＳ１８６において、設定した絞り値とシャッタースピードにおいて撮影した場合に、露光量が高くなり過ぎた分だけ、ゲインの設定を下げて画像信号を調整するが、ここでは、露光量が高くなり過ぎた分だけ、ゲインを下げた結果、ゲインの値がゲインの設定範囲を超えるか否かを判断する。つまり、ここでは、上述したゲインの設定範囲４〜１６ｄＢを超えるか否かを判断する。そして、ゲインの設定範囲を超える場合はステップＳ１８８へ進み、ゲインの設定範囲を超えない場合は、ぼけ効果を得るための適正な絞り値、シャッタースピード、およびゲインを設定することができるため、図１９のステップＳ１７１に進み、撮影処理を進めていく。
【０１２７】
ステップＳ１８８においては、シャッター優先モードを解除する。つまり、シャッター優先モードにおいて、ぼけ効果が得られるように絞り３０２を開くと、ゲインの設定範囲を超えるため、シャッター優先モードを解除し、そして、ステップＳ１８９に進む。ここでは、シャッター優先モードを解除することで、所望のぼけ効果を出せるように撮影光学系を制御することができるようになるため、ぼけ効果を含めた撮影者の作画意図を十分反映させることができる。
【０１２８】
ステップＳ１８９においては、Ｓ１６４において設定した絞り値、シャッタースピードから、図２２に示すプログラム線図にしたがって、ステップＳ１６３において決定した露出値に基づいて、ぼけ効果が得られるように絞り３０２を開放し、シャッタースピードを再設定する。つまり、図２１に示すプログラムＡＥモードにおけるプログラム線図に従った場合や、シャッター優先モードの場合において、ぼけ効果を付加したい位置で、ぼけ効果を付加することが出来ないときに、所望のぼけ効果を付加するように図２２に示すプログラム線図にしたがって、絞り３０２を開放し、シャッタースピードを再設定する。例えば、プログラムＡＥモードにおいて、図２１に示すプログラム線図に従った場合、露出値が１３のとき、絞り値が５．６、シャッタースピードが１／２５０秒となる。このとき、ぼけ効果を付加したい位置の被写体が被写界深度の範囲内にある場合、図２１に示すプログラム線図に従ったのでは、撮影画像にぼけ効果を付加したい位置において、ぼけ効果を付加することができないため、図２２に示すプログラム線図に従って絞り値とシャッタースピードとの組合せを再設定（変更）し、絞り値が２．８、シャッタースピードが１／１０００秒となる。したがって、ここでは、シャッタースピードと絞り値との組合せを変更することにより、所望のぼけ効果を付加することができるように撮影光学系を設定することができるため、ぼけ効果を含めた撮影者の作画意図を十分反映させることができる。そして、ここでは、シャッタースピードと絞り値との組合せを変更した後に、図１９に示すステップＳ１７１に進み、図１９に示すフローチャートにしたがった撮影処理を続行する。
【０１２９】
以上、説明したように、ここでは、ぼけ効果を付加したい位置を指定し、撮影光学系の一部である絞り３０２を制御して撮影するため、撮影前の簡単な操作によって、ぼけ効果を付加したい位置を任意に指定することができるとともに、撮影者の作画意図を十分反映した自然な画像を撮影することができる。
【０１３０】
＜その他＞
上述した実施形態においては、オートフォーカスを行うＡＦエリア枠ＡＡＲをＬＣＤ１０に表示される画像において所望の位置に移動することができたが、これに限られるものではなく、ＡＦエリア枠ＡＡＲがＬＣＤ１０の中央等で固定されたものであっても良い。
【０１３１】
また、上述した実施形態においては、ＡＦエリア枠ＡＡＲおよびぼかしカーソルＤＣＲの位置をＬＣＤ１０に表示される画像（ライブビュー画像等）において設定していたが、これに限られるものではなく、光学ファインダーにおいて、ハーフミラー等を設けることにより、そのハーフミラー等にＡＦエリア枠ＡＡＲおよびぼかしカーソルＤＣＲを映し出すことによって、ＡＦエリア枠ＡＡＲおよびぼかしカーソルＤＣＲの位置を光学ファインダーにおいて設定するものであっても良い。
【０１３２】
また、上述した実施形態においては、デジタルカメラ１がぼかし撮影モードにおいて、自動的にぼけ効果を付加したぼかし量が、撮影者の意図するぼかし量となっていない場合、つまり、ぼけ過ぎていたり、ぼけ効果が少なかったりした場合は、撮影者によって絞り値が調節されることによって、ぼかし量を調節しているが、これに限られるものではなく、全体制御部２１１のフラッシュＲＯＭ２１１ｂに予め、絞り値等によってぼかし量を数段階で調節できるプログラムを格納し、撮影者によって数段階のぼかし量から所望のぼかし量が選択されることによって、ぼかし量を調節するようなものであっても良い。具体的には、ぼけ効果を付加したい位置の被写体と合焦している主被写体との距離を被写界深度の２倍、４倍、８倍と段階的に変化するように絞り値等を変化させるプログラムをフラッシュＲＯＭ２１１ｂに格納し、どの段階のぼかし量となるのかについては、撮影者によって操作部２５０が種々操作されることにより決定することができるようなものであっても良い。
【０１３３】
また、上述した実施形態においては、撮影光学系の一部である絞り３０２を制御又は操作されることによって、ぼけ効果を付加したい位置に関してぼけ効果を出すようにしていたが、これに限られるものではなく、ズームレンズ３０１を動かして、ぼけ効果を出すものであっても良い。つまり、ズームレンズ３０１を動かして、合焦位置は被写界深度の範囲内のままとするが、ぼけ効果を付加したい位置を被写界深度の範囲外とすることによってぼけ効果を付加することができる。図２４は、ズームレンズ３０１を動かして、ぼけ効果を付加する例を示す図である。なお、ここでは、図１１と同様な部分が多いため同様な部分については同じ符号を付しており、説明を省略する。図２４（ａ）に示すように、ぼけ効果を付加したい被写体１１１が、合焦したい主被写体１１０よりも遠くにある場合、上述した距離演算部２１１ｌにおいて算出されたデジタルカメラ１と主被写体１１０との距離、およびデジタルカメラ１とぼけ効果を付加したい被写体１１１との距離をもとに、ズームレンズ３０１を動かして、図２４（ｂ）に示すように、合焦位置を手前にもってくる（Ｗを小さくする）ことによって、主被写体１１０は、被写界深度の範囲内のままとし、被写体１１１を被写界深度の範囲外とすることができる。したがって、このような動作によって、撮影画像において、主被写体１１０には合焦するが、被写体１１１に関してはぼけ効果を付加することができる。一方、図示を省略するが、ぼけ効果を付加したい被写体１１１が、合焦したい主被写体１１０よりも近くにある場合は、先程とは逆に合焦位置を遠方にもっていく（Ｗを大きくする）ことによって、主被写体１１０は、被写界深度の範囲内のままとし、被写体１１１を被写界深度の範囲外とすることができる。なお、ここでの動作は、フラッシュＲＯＭ２１１ｂに格納されたプログラムにしたがって、全体制御部２１１において統括制御されるものとする。
【０１３４】
さらに合焦動作は、ＣＣＤ３０３を光軸方向に駆動させることによって行ってもかまわない。これも合焦あるいはぼけ効果のための撮影光学系の制御に相当する。
【０１３５】
なお、上述した具体的実施形態には以下の構成を有する発明が含まれている。
【０１３６】
（１）  請求項２の発明について、操作入力に基づき、前記特定位置を指定する合焦位置指定手段を備えることを特徴とするデジタルカメラ。
【０１３７】
この構成により、オートフォーカス位置およびぼけ効果を付加したい位置の両方を任意に指定できるため、撮影者の作画意図を十分反映させることができる。
【０１３８】
（２）  請求項３の発明について、
前記設定手段は、絞り調整手段であることを特徴とするデジタルカメラ。
【０１３９】
この構成により、ぼかし量の設定のための特別な処理を実施する機能および特別な部材を設けることなく、撮影者の作画意図を十分反映したぼかし量を設定することができる。
【０１４０】
（３）  請求項４の発明について、所定の操作により、前記所定の画面に表示される前記プレビュー画像を更新することを特徴とするデジタルカメラ。
【０１４１】
この構成により、撮影者による撮影の構図の変更、オートフォーカス位置の変更、または、ぼけ効果を付加したい位置の変更、または絞り値の変更に追従して、プレビュー画像が変更されるため、撮影者の作画意図が十分反映されているかどうかを逐次確認することができる。
【０１４２】
【発明の効果】
以上説明したように、請求項１の発明によれば、撮影前の被写体の画像を所定の画面に表示し、ぼけ効果を付加したい位置を指定し、ぼけ効果を付加したい位置に対応する被写体を被写界深度の範囲外とするため、撮影前の簡単な操作によって、ぼけ効果を付加したい位置を任意に指定することができるとともに、撮影者の作画意図を十分反映した自然な画像を撮影することができる。
【０１４３】
また、請求項２の発明によれば、ぼけ効果を付加したい位置を任意に指定できる上に、オートフォーカスを行えるので、撮影者の作画意図をより反映することができる。
【０１４４】
また、請求項３の発明によれば、ぼけ効果の程度を撮影者が種々設定することができるため、撮影者の作画意図を十分反映させた画像を取得することができる。
【０１４５】
また、請求項４の発明によれば、撮影前の被写体についてのプレビュー画像においてぼけ効果を付加したい位置を指定することによって、撮影前に作画意図が反映されているか否かを確認することができるため、撮影者の作画意図が反映されていない撮影画像の取得を未然に防ぐことができる。
【０１４６】
また、請求項５の発明によれば、撮影者が予め設定した撮影条件では、所望のぼけ効果を付加することができない旨を事前に知らせることによって、撮影者の作画意図が反映されていない撮影の失敗を未然に防ぐことができる。
【０１４７】
また、請求項６の発明によれば、ぼけ効果を付加したい位置を拡大表示することができるため、撮影者の作画意図を満たすぼけ効果が得られているかどうかを確認することができる。
【０１４８】
また、請求項７の発明によれば、シャッター優先モードにおいて、任意の位置でぼけ効果を付加したい場合には、シャッター優先モードを解除することで、所望のぼけ効果を出せるように撮影光学系を制御することができるため、ぼけ効果を含めた撮影者の作画意図を十分反映させることができる。
【０１４９】
また、請求項８の発明によれば、絞り優先モードにおいて、任意の位置でぼけ効果を付加したい場合には、絞り優先モードを解除することで、所望のぼけ効果を出せるように撮影光学系を制御することができるため、ぼけ効果を含めた撮影者の作画意図を十分反映させることができる。
【０１５０】
また、請求項９の発明によれば、シャッター優先モードにおいて、撮影画像の明るさを調節するためのゲインの設定を下げることにより、所望のぼけ効果を出せるように撮影光学系を設定することができるため、ぼけ効果を含めた撮影者の作画意図を十分反映させることができる。
【０１５１】
また、請求項１０の発明によれば、被写体の輝度に基づいて、シャッタースピードと絞り値との組合せを自動的に設定するプログラムＡＥモードがあり、任意の位置でぼけ効果を付加したい場合には、シャッタースピードと絞り値との組合せを変更することにより、所望のぼけ効果を付加することができるように撮影光学系を設定することができるため、ぼけ効果を含めた撮影者の作画意図を十分反映させることができる。
【図面の簡単な説明】
【図１】デジタルカメラの外観構成の一例を示す図である。
【図２】デジタルカメラの外観構成の一例を示す図である。
【図３】デジタルカメラの外観構成の一例を示す図である。
【図４】デジタルカメラの外観構成の一例を示す図である。
【図５】デジタルカメラの機能的構成を示すブロック図である。
【図６】撮像部における各部の配置を示す概略図である。
【図７】ライブビュー表示を説明する図である。
【図８】メモリカード９１のデータ配列を示す図である。
【図９】デジタルカメラ１の部分ブロック図である。
【図１０】デジタルカメラ１の部分ブロック図である。
【図１１】被写界深度を説明する図である。
【図１２】デジタルカメラ１における測光を説明する図である。
【図１３】ライブビュー画像と、ＡＦエリア枠ＡＡＲおよびぼかしカーソルＤＣＲ、ぼかしカーソルに対する評価値演算エリアＤＡＲ、拡大指定エリアＺＡＲの関係を示す図である。
【図１４】ライブビュー画像中の拡大指定エリアＺＡＲをＬＣＤ１０に拡大表示する様子を説明する図である。
【図１５】撮影者によって撮影条件モードが設定される操作画面の一例を示す図である。
【図１６】撮影者によって絞り値が設定される操作画面の一例を示す図である。
【図１７】ぼかし撮影モードにおいて、ＡＦエリア枠ＡＡＲとぼかしカーソルＤＣＲの設定をする際にＬＣＤ１０に表示される画面を説明する図である。
【図１８】ぼかし撮影モードにおけるデジタルカメラ１の撮影処理における動作を説明するフローチャートである。
【図１９】ぼかし撮影モードにおけるデジタルカメラ１の撮影処理における動作を説明するフローチャートである。
【図２０】ぼかし撮影モードにおけるデジタルカメラ１の撮影処理における動作を説明するフローチャートである。
【図２１】プログラムＡＥモードにおける露出値に対して全体制御部２１１により決定される絞り値（Ｆナンバー）とシャッタースピード（ＣＣＤの露出時間）との関係を示すプログラム線図である。
【図２２】露出値に対して全体制御部２１１により決定される絞り値（Ｆナンバー）とシャッタースピード（ＣＣＤの露出時間）との関係を示すプログラム線図である。
【図２３】シャッター優先モードにおける露出値に対して全体制御部２１１により決定される絞り値（Ｆナンバー）とシャッタースピード（ＣＣＤの露出時間）との関係の一例を示すプログラム線図である。
【図２４】ズームレンズ３０１を動かして、ぼけ効果を付加する例を示す図である。
【符号の説明】
１  デジタルカメラ
３  撮像部
１０  ＬＣＤ
１１０  主被写体
１１１  被写体
２１１  全体制御部
２１１ｂ  フラッシュＲＯＭ
２１４  ＡＦモータ駆動回路
２１５  ズームモータ駆動回路
２１６  絞りモータ駆動回路
３０１  ズームレンズ
３０２  絞り
３０３  ＣＣＤ撮像素子
３１３  信号処理回路
３１３ｂ  ＡＧＣ回路
ＡＡＲ  ＡＦエリア枠
ＤＡＲ  ぼかしカーソルに対する評価値演算エリア
ＤＣＲ  ぼかしカーソル
ＺＡＲ  拡大指定エリア
Ｍ１  ズームモータ
Ｍ２  ＡＦモータ
Ｍ３  絞りモータ
【図１】
0003601500.tif 000004
【図２】
0003601500.tif 000005
【図３】
0003601500.tif 000006
【図４】
0003601500.tif 000007
【図５】
0003601500.tif 000008
【図６】
0003601500.tif 000009
【図７】
0003601500.tif 000010
【図８】
0003601500.tif 000011
【図９】
0003601500.tif 000012
【図１０】
0003601500.tif 000013
【図１１】
0003601500.tif 000014
【図１２】
0003601500.tif 000015
【図１３】
0003601500.tif 000016
【図１４】
0003601500.tif 000017
【図１５】
0003601500.tif 000018
【図１６】
0003601500.tif 000019
【図１７】
0003601500.tif 000020
【図１８】
0003601500.tif 000021
【図１９】
0003601500.tif 000022
【図２０】
0003601500.tif 000023
【図２１】
0003601500.tif 000024
【図２２】
0003601500.tif 000025
【図２３】
0003601500.tif 000026
【図２４】
0003601500.tif 000027